(57)【要約】商業漁撈用トロール網は、網体と、ヘッド・ライン、フット・ラインおよび複数のサイド・ラインにより画定される網口とを有する。その網口は、複数のフォイル・セグメントにより拡大され、それらフォイル・セグメント内に、前記ヘッド・ライン、前記フット・ラインまたは前記複数のサイド・ラインのうちの１または複数本が挿通される。当該トロール網が曳航船の背後にある水の中を通過するように曳網されるにつれて当該トロール網が前記網口を拡大して維持するように、前記網口の周りに装着される複数本のタグ・ラインまたはフォイル・ラインが複数のフォイル・セグメント内に挿通されてもよい。【選択図】図１ａ
2018524968.tif 000002
【特許請求の範囲】
【請求項１】
漁撈用トロール網であって、
ヘッド・ライン（head line、浮子綱、上綱、上辺）とフット・ライン（foot line、沈子綱、下綱、底辺）と複数のサイド・ライン（side lines、右側のサイド・ラインと左側のサイド・ライン、左右両側の袖綱、左右の側辺）とにより画定される網口(mouth opening、口状開口部）を有する網体と、
長さ方向に配列可能な複数のフォイル・セグメント（foil segments、翼型セグメント）であって、各フォイル・セグメントは、翼型断面（foil cross-section、フォイル断面）と前縁と後縁とスパンと内部導管とを有し、前記前縁および前記後縁は、翼弦線を定義し、前記内部導管は、各フォイル・セグメントの前記前縁より後方に位置する前記スパンに沿って延びるものと
を含み、
前記ヘッド・ライン、前記フット・ラインまたは前記複数のサイド・ラインのいずれかは、前記複数のフォイル・セグメントの複数本の内部導管内を貫通する漁撈用トロール網。
【請求項２】
前記翼型断面は、非対称である請求項１に記載の漁撈用トロール網。
【請求項３】
前記内部導管は、前記翼弦線上に配置される請求項１に記載の漁撈用トロール網。
【請求項４】
前記内部導管は、前記翼弦線から片側にずれて位置する請求項１に記載の漁撈用トロール網。
【請求項５】
さらに、別のヘッド・ラインと別のフット・ラインと複数本の別のサイド・ラインとを含み、各フォイル・セグメントは、さらに、別の内部導管を含み、その別の内部導管は、各フォイル・セグメントの前記後縁より前方に位置する前記スパンに沿って延びており、前記別のヘッド・ライン、前記別のフット・ラインまたは前記複数本の別のサイド・ラインのいずれかは、前記複数のフォイル・セグメントの複数本の別の内部導管内を貫通する請求項１に記載の漁撈用トロール網。
【請求項６】
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する請求項５に記載の漁撈用トロール網。
【請求項７】
前記別のヘッド・ライン、前記別のフット・ラインまたは前記複数本の別のサイド・ラインのいずれかであって、前記複数のフォイル・セグメントの複数本の別の内部導管内を貫通するものの長さを変化させる調整機構を含む請求項６に記載の漁撈用トロール網。
【請求項８】
漁撈用トロール網であって、
ヘッド・ラインとフット・ラインと複数のサイド・ラインとにより画定される網口を有する網体と、
長さと両端部とを有するフォイル・ライン(foil line、フォイル用綱）と、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと
を含み、
前記フォイル・ラインは、前記複数のフォイル・セグメントの複数本の内部導管内を貫通し、そのフォイル・ラインの両端部は、それぞれ、前記ヘッド・ライン、前記フット・ラインまたは前記複数のサイド・ラインのいずれかに、互いに離散した複数の位置において装着される漁撈用トロール網。
【請求項９】
さらに、長さと両端部とを有する別のフォイル・ラインを含み、
前記複数のフォイル・セグメントは、さらに、別の内部導管を含み、その別の内部導管は、各フォイル・セグメントの前記後縁より前方に位置する前記スパンに沿って延びており、
前記別のフォイル・ラインは、前記複数のフォイル・セグメントの複数本の別の内部導管内を貫通し、そのフォイル・ラインの両端部は、それぞれ、前記ヘッド・ライン、前記フット・ラインまたは前記複数のサイド・ラインのいずれかに、互いに離散した複数の位置において装着される請求項８に記載の漁撈用トロール網。
【請求項１０】
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する請求項９に記載の漁撈用トロール網。
【請求項１１】
前記複数のフォイル・セグメントの複数本の別の内部導管内を貫通する前記別のフォイル・ラインの長さを変化させる調整機構を含む請求項１０に記載の漁撈用トロール網。
【請求項１２】
漁撈用トロール網であって、
ヘッド・ラインとフット・ラインと複数のサイド・ラインとにより画定される網口を有する網体と、
長さと両端部とを有するフォイル・ラインと、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと
を含み、
前記フォイル・ラインは、前記複数のフォイル・セグメントの複数本の内部導管内を貫通し、そのフォイル・ラインは、前記ヘッド・ライン、前記フット・ラインまたは前記複数のサイド・ラインのいずれかに、互いに離散した複数の位置において、複数本のブライドル・ライン（bridle lines、係留索、添え綱）を介して装着される漁撈用トロール網。
【請求項１３】
さらに、長さと両端部とを有する別のフォイル・ラインを含み、
前記複数のフォイル・セグメントは、さらに、別の内部導管を含み、その別の内部導管は、各フォイル・セグメントの前記後縁より前方に位置する前記スパンに沿って延びており、
前記別のフォイル・ラインは、前記複数のフォイル・セグメントの複数本の別の内部導管内を貫通する請求項１２に記載の漁撈用トロール網。
【請求項１４】
前記別のフォイル・ラインの各端部は、前記複数のフォイル・セグメントの複数本の別の内部導管から離脱しないように固定される(secured、保持される）請求項１３に記載の漁撈用トロール網。
【請求項１５】
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する請求項１４に記載の漁撈用トロール網。
【請求項１６】
前記別のヘッド・ライン、前記別のフット・ラインまたは前記複数本の別のサイド・ラインのいずれかであって、前記複数のフォイル・セグメントの複数本の別の内部導管内を貫通するものの長さを変化させる調整機構を含む請求項１５に記載の漁撈用トロール網。
【請求項１７】
漁撈用トロール網であって、
ヘッド・ラインとフット・ラインと複数のサイド・ラインとより画定される網口と、複数のトロール・ドア(trawl doors、複数のオッターボード、右側のトロール・ドアと左側のトロール・ドア）とを含む網体であって、前記複数のトロール・ドアは、各サイド・ラインから離れているとともに、各サイド・ラインに、複数本のブライドル・レッグ(bridle legs、係留索、添え綱）を介して装着されるものと、
前記複数本のブライドル・レッグに装着されるとともに、前記複数のサイド・ラインと前記複数のトロール・ドアとの間に配置されるタグ・ラインと、
長さ方向に配列可能な複数のフォイル・セグメントであって、各フォイル・セグメントは、翼型断面（foil cross-section、フォイル断面）と前縁と後縁とスパンと内部導管とを有し、その内部導管は、各フォイル・セグメントの前記前縁より後方に位置する前記スパンに沿って延びるものと
を含み、
前記タグ・ラインは、前記複数のフォイル・セグメントの複数本の内部導管内を貫通する漁撈用トロール網。 
【請求項１８】
さらに、前記複数のブライドル・レッグに装着されるとともに、前記複数のサイド・ラインと前記複数のトロール・ドアとの間に配置される別のタグ・ラインを含み、
前記複数のフォイル・セグメントは、さらに、別の内部導管であって、各フォイル・セグメントの前記前縁より後方に位置する前記スパンに沿って延びるものを含み、
前記別のタグ・ラインは、前記複数のフォイル・セグメントの複数本の別の内部導管内を貫通する請求項１７に記載の漁撈用トロール網。
【請求項１９】
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する請求項１８に記載の漁撈用トロール網。
【請求項２０】
前記複数のフォイル・セグメントの前記複数本の別の内部導管内を貫通する前記別のタッグ・ラインの長さを変化させる調整機構を含む請求項１９に記載の漁撈用トロール網。
【請求項２１】
漁撈用トロール網であって、
ヘッド・ラインとフット・ラインと複数のサイド・ラインとにより画定される網口を有する網体と、
長さと両端部とを有するとともに、前記複数のサイド・ラインのいずれかに複数本のブライドル・ラインを介して装着されるフォイル・ラインと、
長さ方向に配列可能な複数のフォイル・セグメントであって、各フォイル・セグメントは、翼型断面と前縁と後縁とスパンと内部導管とを有し、その内部導管は、各フォイル・セグメントの前記前縁より後方に位置する前記スパンに沿って延びるものと、
前記フォイル・ラインに装着される三角形状のブライドル(bridle、係留具）であって、頂点と複数の側辺と底辺とを有し、前記頂点は、前記ブライドルとワープ・ラインとの間の連結点により定義され、前記複数の側辺は、前記連結点と前記フォイル・ラインの一端部との間に装着される第１ブライドル・ラインと、前記連結点と前記フォイル・ラインの他端部との間に装着される第２ブライドル・ラインとにより定義され、前記底辺は、前記フォイル・ラインにより定義されるものと、
前記連結点と前記フォイル・ラインとの間に装着される１本または複数本の中間ブライドル・ラインと
を含み、
前記フォイル・ラインは、前記複数のフォイル・セグメントの複数本の内部導管内を貫通する漁撈用トロール網。
【請求項２２】
前記複数のフォイル・セグメントは、長さ方向に配列され、前記ブライドルの前記複数の側辺は、互いに等しい長さを有し、前記１本または複数本の中間ブライドル・ラインの長さは、前記複数の側辺の長さに応じた長さである請求項２１に記載の漁撈用トロール網。
【請求項２３】
前記複数のフォイル・セグメントは、長さ方向に配列され、前記ブライドルの前記複数の側辺は、互いに異なる長さを有し、前記１本または複数本の中間ブライドル・ラインの長さは、前記複数の側辺の長さに応じた長さである請求項２１に記載の漁撈用トロール網。
【請求項２４】
前記複数のフォイル・セグメントは、曲線状を成しており、前記ブライドルの前記複数の側辺は、互いに等しい長さを有し、前記１本または複数本の中間ブライドル・ラインの長さは、前記複数の側辺の長さに応じた長さである請求項２１に記載の漁撈用トロール網。
【請求項２５】
さらに、長さと両端部とを有する別のフォイル・ラインを含み、
各フォイル・セグメントは、さらに、別の内部導管を含み、その別の内部導管は、各フォイル・セグメントの前記後縁より前方に位置する前記スパンに沿って延びており、
前記別のフォイル・ラインは、前記複数のフォイル・セグメントの複数本の別の内部導管内を貫通する請求項２４に記載の漁撈用トロール網。
【請求項２６】
各フォイル・セグメントは、両側の側面を有しており、それら側面は、概して台形を成す形状を各フォイル・セグメントに付与するように、前記前縁から後方に先細りとなっており、前記形状は、前記複数のフォイル・セグメントのうち互いに隣接するものの側面同士の間に末拡がり角を有する請求項２５に記載の漁撈用トロール網。
【請求項２７】
前記複数のフォイル・セグメントの前記複数本の別の内部導管内を貫通する前記別のフォイル・ラインの長さを変化させる調整機構を含む請求項２６に記載の漁撈用トロール網。
【発明の詳細な説明】
【技術分野】
【０００１】
本発明は、漁撈用トロール網に関し、より具体的には、漁撈用トロール網の網口（mouth opening、マウス・オープニング、口状開口部、開口部）を拡大する装置に関する。
【背景技術】
【０００２】
商業漁撈用トロール網（fishing trawl、トロール用の漁網）は、とりわけ、そのトロール網の網口の断面積を最大化するように設計される。このことは、典型的には、複数の浮き子（floats）であって、各々、ヘッド・ライン（head line 、浮子網、上綱、上辺）のスパン（span、長さ方向、翼幅、翼幅方向、翼幅寸法）を横断するものと、複数の沈子（weights、錘）であって、各々、フット・ライン（foot line、沈子網、底綱、底辺）のスパン（span、長さ方向）を横断するものと、複数のトロール・ドア（trawl doors、オッターボード、開口板、拡網板、右側のトロール・ドアと左側のトロール・ドア）であって、網口を拡大するために複数の側部（sides、両側の脇部、両側の側辺）を左方向および右方向に舵切りする（port and starboard）ものとを用いることによって達成される。このトロール網は、その後、２本のワープ・ケーブル（warp cables、引き網）を用いて曳航船に連結され、それらワープ・ケーブルは１本ずつ、対応する１つのトロール・ドアに連結される。
【０００３】
４００メートルの網口周囲長を有する従来の遠洋漁業用トロール網には、一般的に、２枚の従来のトロール・ドアが必要であり、各トロール・ドアは、約１５平方メートルの面積で当該トロール網のいずれの側部にも配備されるとともに、抵抗力（drag、抗力、曳網抵抗）を生み出す。このトロール網の網口を垂直方向に拡大するために用いられる浮き子および沈子のそれぞれの断面積も抵抗力（drag、抗力、曳網抵抗）を生み出す。従来の浮き子および沈子は、それぞれ、曳航速度とは無関係に、垂直力を作用させる(apply、網口に作用させる）。その結果、網口は、曳航速度の増加に伴って崩壊する(collapse、潰れる、しぼむ、折り畳まれる）傾向にある。
【０００４】
したがって、トロール網の網口の断面積を最大化して維持する一方で、抵抗力を減少させ、ひいては、曳航船の背後にある水の中を通過するようにトロール網を曳網するのに必要な牽引力（towing force、曳網力）を減少させる漁撈用トロール網を提供することが必要である。
【発明の概要】
【０００５】
本発明に従う漁撈用トロール網は、網口を有する網体を有しており、その網口は、ヘッド・ライン（浮子綱、上綱）、フット・ライン（沈子綱、下綱）および複数のサイド・ライン（side lines、右側のサイド・ラインと左側のサイド・ライン、左右両側の袖綱）により画定される。長さ方向に配列可能な複数のフォイル・セグメント（foil segments、翼型セグメント、翼型分割部）は、各々、翼型断面（foil cross-section、フォイル断面）と前縁と後縁とスパンと内部導管（internal conduit）とを有し、前縁および後縁は、翼弦線を定義し、内部導管は、各フォイル・セグメントの前縁より後方に位置するスパンに沿って延びる。ヘッド・ライン、フット・ラインまたは複数のサイド・ラインのいずれかは、複数のフォイル・セグメントの複数本の内部導管内を貫通する。
【０００６】
別の実施態様においては、別の(second、第２の）ヘッド・ラインと別の(second、第２の）フット・ラインと複数本の別の(second、第２の）サイド・ラインとが提供される。各フォイル・セグメントは、さらに、別の内部導管を含み、その別の内部導管は、各フォイル・セグメントの後縁より前方に位置するスパンに沿って延びており、また、別のヘッド・ライン、別のフット・ラインまたは複数本の別のサイド・ラインのいずれかは、複数のフォイル・セグメントの複数本の別の内部導管内を貫通する。 
【０００７】
別の実施態様においては、各フォイル・セグメントが両側の側面を有しており、それら側面は、概して台形を成す形状を各フォイル・セグメントに付与するように、前縁から後方に先細りとなっており、前記形状は、複数のフォイル・セグメントのうち互いに隣接するものの側面同士の間に末拡がり角を有する。
【０００８】
別の実施態様においては、調整機構（adjustment mechanism）が、別のヘッド・ライン、別のフット・ラインまたは複数本の別のサイド・ラインのいずれかであって、複数のフォイル・セグメントの複数本の別の内部導管内を貫通するものの長さを変化させる。
【０００９】
別の実施態様においては、ヘッド・ラインとフット・ラインと複数のサイド・ラインが互いに連続する(continuous、分離していない）。
【図面の簡単な説明】
【００１０】
本発明をより明瞭に理解するために、この書類における複数の実施態様が、添付の概略図を参照して、例示のために詳細に説明される。
【００１１】
【図１ａ】図１ａは、従来の漁撈用トロール網の正面図である。
【００１２】
【図１ｂ】図１ｂは、従来の漁撈用トロール網の平面図である。
【００１３】
【図２】図２は、本発明の一実施態様に従う漁撈用トロール網の正面図である。
【００１４】
【図３ａ】図３ａは、１つのフォイル・セグメントの断面図である。
【００１５】
【図３ｂ】図３ｂは、翼弦線から片側にずれて位置する内部導管を有する１つのフォイル・セグメントの断面図である。
【００１６】
【図４】図４は、本発明の別の実施態様に従う漁撈用トロール網の正面図である。
【００１７】
【図５】図５は、本発明の別の実施態様に従う漁撈用トロール網の正面図である。
【００１８】
【図６】図６は、本発明の別の実施態様に従う漁撈用トロール網の平面図である。
【００１９】
【図７ａ】図７ａは、複数のフォイル・セグメントの側面図である。
【００２０】
【図７ｂ】図７ｂは、本発明の一側面に従う複数のフォイル・セグメントの側面図である。
【００２１】
【図８】図８は、曲線状プロファイル（curved profile、曲線状の全体外形形状）を有する複数のフォイル・セグメントの正面図である。
【００２２】
【図９】図９は、ブライドル（bridle、係留具、添え索ユニット、１組のブライドル）を有する複数のフォイル・セグメントの図である。
【００２３】
【図１０】図１０は、ブライドル(a bridle、１組のブライドル）および傾斜したプロファイル（angled profile、角度付きプロファイル）を有する複数のフォイル・セグメントの正面図である。
【００２４】
【図１１】図１１は、ブライドル(a bridle、１組のブライドル）および曲線状プロファイル（curved profile）を有する複数のフォイル・セグメントの正面図である。
【００２５】
【図１２】図１２は、複数のフォイル・セグメントに連結されたアジャスタ機構（adjuster mechanism、調整機構）の概略的な側面図である。
【発明を実施するための形態】
【００２６】
本発明に従う漁撈用トロール網は、複数のフォイル・セグメント（foil segments、翼型セグメント、翼型分割部）により拡大される網口を有する。それらフォイル・セグメントは、複数のヘッド・ライン浮子、複数のフット・ライン沈子もしくは複数のトロール・ドア（trawl doors、右側のトロール・ドア（オッターボード）と左側のトロール・ドア（オッターボード））のいずれかまたはすべてを補う(supplement、機能を付加する）かもしくは置き換えてもよく、ここに、複数のヘッド・ライン浮子、複数のフット・ライン沈子または複数のトロール・ドアは、典型的には、トロール網（trawl、引網、曳網）が曳航船の背後にある水の中を通過するように牽引される（towed、曳網される）につれて当該トロール網の網口を拡大する（spread、拡網する、拡張する）ために使用される。
【００２７】
図１ａおよび図１ｂに示すように、従来の漁撈用トロール網は、網口２を有する網体１を有しており、その網口２は、ヘッド・ライン（head line、浮子綱）４に沿って装着される複数の浮子３と、フット・ライン６（foot line、沈子綱）に沿って装着される複数の沈子５と、複数のサイド・ライン(side lines、右側のサイド・ラインと左側のサイド・ライン、左右両側の袖綱）８に位置する複数のトロール・ドア(trawl doors、複数のオッターボード、右側のトロール・ドアと左側のトロール・ドア）７とにより、それぞれの部分が互いに空間的に離散するように拡大される（spread apart、拡網される）。概略的には、複数の浮子３および複数の沈子５は、高い抵抗係数を発生させる断面を有する。複数のトロール・ドア７は、複数のサイド・ライン(side lines、右側のサイド・ラインと左側のサイド・ライン、左右両側の袖綱）８から概して距離を隔てて配置されるとともに、複数本のブライドル・レッグ（bridle legs、係留索、添え索、ブライドル・ライン）９により、複数のサイド・ライン８に装着される。
【００２８】
一実施態様においては、図２に示すように、各々垂直に延びる複数本のタグ・ライン（tag lines、右側のタグ・ラインと左側のタグ・ライン）１０が、従来の漁撈用トロール網の複数本のブライドル・レッグ９(bridle legs 9、複数本のブライダル・ライン１５）の間に設置されてもよく、また、複数のフォイル・セグメント１１が、網体１の網口２を拡大する横力(lateral force、網口２の各ラインの長手方向に対して直角な方向に作用する力）を提供するために、複数本のタグ・ライン１０上に直に装着されるかまたはそれらタグ・ライン１０に関連付けて装着されてもよい。図３ａに示すように、一例として、各フォイル・セグメント１１は、スパン(長さ寸法、長さ方向、翼幅方向、翼幅）と、翼弦線と、標準的なハイドロ翼型断面であってもよい翼型断面（foil cross-section、フォイル断面）と、前記スパンに沿って、かつ、前縁１３より後方に位置する前側内部導管（forward internal conduits）１２とを有してもよい。異なる複数の翼型断面部（foil cross-sections）は、例えば、ＮＡＣＡ翼型、EPPLER翼型、Gottingen翼型または任意の他の独自の(custom、特別注文の、個別注文生産の)翼型断面であって所望の用途に適したものを使用してもよい。複数本のタグ・ライン１０は、複数のフォイル・セグメント１１の前側内部導管（forward internal conduit）１２内を挿通される（threaded through）。好ましくは、複数のフォイル・セグメント１１は、キャンバを有するかまたはそれ以外の方法で非対称であり、それにより、前記フォイルは、そのフォイルが水の中を通過するように牽引される際に非ゼロ平衡迎え角（non-zero equilibrium angle of attack、０ではない角度で力学的平衡状態を実現する迎え角）を取って揚力(lift、翼型としてのフォイル・セグメント１１に生じる水力のうち、流れFLOWに対して直角である成分）を生成する。これに代えて、図３ｂに示すように、対称性を有する翼型断面を、翼弦線(the chord line、当該翼型断面の翼弦線）から片側にずれて位置する(to one side of the chord、翼弦線からオフセットした）前側内部導管１２と共に使用してもよい。この具体例においては、複数のフォイル・セグメント１１が、複数のトロール・ドア７により生成される拡網力（spreading force）を補充する(supplement、追加の拡網力を与える）ために、横力(lateral force、各フォイル・セグメント１１の長手方向に対して直角な方向に作用する力）を生成する。
【００２９】
別の実施態様においては、図４に示すように、ヘッド・ライン４が各フォイル・セグメント１１の前側内部導管１２内を貫通するようにすることにより、複数のフォイル・セグメント１１内にヘッド・ライン４が挿通され、それにより、上向きの揚力が生成され、それにより、従来の漁撈用トロール網に使用される複数の浮子３を置き換える(replace、代替する）。同様に、複数のフォイル・セグメント１１内にフット・ライン６および複数のサイド・ライン８が挿通され、それにより、下向きの揚力および横向きの揚力を生成し、それにより、複数の沈子５および複数のトロール・ドア７を置き換える(replace、代替する）。この具体例においては、図４に示すように、ヘッド・ライン(a head line、１本のヘッド・ライン）４とフット・ライン(a foot line、１本のフット・ライン）６と複数のサイド・ライン(side lines、両側に１本ずつあるために全部で複数本あるサイド・ライン、１本の右側サイド・ラインと１本の左側サイド・ライン）８とが、概略的に１本の連続線として描かれており、その連続線は、網口２を画定する。他のいくつかの実施態様においては、複数のフォイル・セグメント１１内に、複数本のヘッド・ライン４と複数本のフット・ライン６と複数のサイド・ライン８とであって互いに分離しているものを挿通してもよい。図４に示すように、網口２は、楕円状であるが、複数のフォイル・セグメント１１および複数本のライン４，６，８は、任意の所望の形状を有する網口２に適したいくつかの揚力を生成するように構成されてもよい。この具体例においては、複数のフォイル・セグメント１１が、このトロール網（trawl）が水の中を通過するように牽引されるにつれて網体１の網口２を拡大するのに必要な全ての拡網力（spreading forces）を生成する。
【００３０】
別の実施態様においては、図５および図７ａに示すように、複数のフォイル・セグメント１１内にフォイル・ライン(a foil line、１本のフォイル・ライン)１４が挿通されており、そのフォイル・ライン１４は、網体１の網口２を拡大する横力を生成するように、複数のサイド・ライン８に装着される。このフォイル・ライン１４は、ヘッド・ライン４とフット・ライン６と複数のサイド・ライン８とから分離されており、また、このフォイル・ライン１４は、複数のフォイル・セグメント１１の複数本の前側内部導管１２内を挿通されるとともに、そのフォイル・ライン１４の両端部において、複数のサイド・ライン８のいずれか(one、該当する１本のサイド・ライン８、該当する片側のサイド・ライン８）に装着される。このフォイル・ライン１４は、ケーブル、ロープ、ワイヤ、鎖または他の種類の索具ライン（rigging line、リギング・ライン）であって各フォイル・セグメント１１の前側内部導管（forward internal conduit）１２内を貫通するものであってもよく、また、このフォイル・ライン１４は、例えば、図７ａに示すように、抜け止めのために前記ケーブルに結び目を作ることにより、複数のフォイル・セグメント１１のいずれかの端部において(at either end、いずれの端部においても）固定され(secured、離脱しないように保持され）てもよい。これに代えて、フォイル・ライン１４を、複数本のブライドル・ライン１５を介して複数のサイド・ライン８のいずれか(one of the side lines、該当する１本のサイド・ライン８、該当する片側のサイド・ライン８）に装着してもよい。
【００３１】
前記複数のフォイル・セグメント(The foil segments、複数のフォイル・セグメント１１）は、さらに、図３ａに示すように、後縁１９より前方に位置するスパン(span、翼長）に沿って延びる後側内部導管（aft internal conduit）１８を有してもよい。フォイル・ライン１４の両端部が複数のサイド・ライン１５(side lines 15、サイド・ライン８）のいずれか(one of the side lines、該当する１本のサイド・ライン、該当する片側のサイド・ライン）に装着される場合、図７ａ、図７ｂおよび図８に示すように、別の(a second、第２の）フォイル・ライン１７を、各フォイル・セグメント１８の後側内部導管１８内を挿通してもよい。このような構成においては、複数のフォイル・セグメント１１が、１つの翼断面を形成する(form a wind section、１つの翼型を形成するなど）ように長さ方向に配列される(longitudinally aligned、整列される）。フォイル・ライン１４および１７は、発明の名称が「操舵可能な流線形紐状体（Steerable Fairing String）」であるＰＣＴ／ＣＡ２０１２／０００９９６に記載されているように、複数のフォイル・セグメント１１の舵取り（steering、ステアリング、方向変換）を可能とする。これに代えて、別のフォイル・ライン１７を省略し、複数のフォイル・セグメント１１をフォイル・ライン１４(the foil line 14、１本のフォイル・ライン１４）のみに沿って一列に配列してもよい。別のフォイル・ライン１７が省略されるいくつかの実施態様においては、複数の非対称フォイル(asymmetric foils、非対称翼型）が用いられ、それにより、複数のフォイル・セグメント１１は、非ゼロ平衡迎え角（non-zero equilibrium angle of attack、０ではない角度で力学的平衡状態を実現する迎え角）を取り、それにより、所望の方向を有する揚力を生成する。
【００３２】
これに代えて、図５に示すように、フォイル・ライン１４を、複数本のブライドル・ライン１５を介して複数のサイド・ライン８のいずれか(one of the side lines、該当する１本のサイド・ライン、該当する片側のサイド・ライン）に装着してもよい。それらブライドル・ライン１５のそれぞれの長さは、このトロール網が水の中を通過するように牽引されている状態で、複数のフォイル・セグメント１１が、垂直に延びるとともに直線的にすなわち長さ方向に配列されたスタック(stack、積層体）１６の姿勢を維持するように選択される。好ましくは、それらブライドル・ライン１５のそれぞれの一端部が、フォイル・ライン１４のうち、スタック１６における複数のフォイル・セグメント１１同士の間に位置する部分に装着される。それらブライドル・ライン１５のそれぞれの他端部は、複数のサイド・ライン８のいずれか(one of the side lines、該当する１本のサイド・ライン、該当する片側のサイド・ライン）のうち、互いに離散した複数の位置にそれぞれ装着される。複数のフォイル・セグメント１１より成るスタック１６のこの構成であって、複数本のブライドル・ライン１５を介して複数のサイド・ライン８のいずれか(one of the side lines、該当する１本のサイド・ライン、該当する片側のサイド・ライン）に装着されるものは、この書類においては、セグメンテッド・フォイル（segmented-foil、複数のセグメントに分割されて成るフォイル、分割型フォイル）と称される。後述するが、同様に、別のフォイル・ライン１７を各フォイル・セグメント１１の後側内部導管１８内に挿通し、それにより、スタック１６を構造的に支持する性能を増加させるとともに操舵性（steerability、舵効き）をスタック１６に提供してもよい。
【００３３】
これに代えて、従来の複数のトロール・ドア７を、図６に示すように、発明の名称が「セグメンテッド・フォイル・ダイバータ（Segmented-Foil Divertor、分割型フォイル用方向変換器）」であるＰＣＴ／ＣＡ２０１５／０００５９３に記載されているように、概して三角形状を成すブライドル（bridle、係留索装置、添え索装置、係船索装置）２１を介してワープ・ライン２０に装着されるセグメンテッド・フォイルに置き換えてもよい。図９に示すように、ブライドル２１の一端部は、ワープ・ライン（warp line、引き綱、ワープ）２０に装着され、一方、そのブライドル２１の他端部は、複数のフォイル・セグメント１１より成るスタック１６に装着される。これに代えて、ブライドル２１をワープ・ライン２０に装着するのではなく、それ(it、ブライドル２１）をこのトロール網の網口２の周りに位置する任意の所望の位置に装着してもよい。
【００３４】
ブライドル２１は、頂点（an apex、１つの頂点）と複数の側辺（sides、側部）と底辺（a base、１つの底辺、基部）とを有しており、それら頂点と側辺と底辺とは、当該ブライドル２１の三角形という形状を画定する。前記頂点は、ブライドル２１とワープ・ライン２０との間の連結点により定義される。前記複数の側辺は、複数本のブライドル・ライン１５により定義される。第１ブライドル・ライン１５ａが、前記連結点と、スタック１６の一端部、すなわち、スタック１６の上端部１６ａとの間に装着されており、また、第２ブライドル・ライン１５ｂが、前記連結点と、スタック１６の他端部、すなわち、スタック１６の下端部１６ｂとの間に装着される。１本または複数本の中間ブライドル・ライン（intermediate bridle lines）１５ｃも、前記連結点と、前記スタック１６のうち、それの両端部の間の部分との間に装着される。任意選択的に、図９に示すように、複数本のブライドル・ライン１５であって各々分岐しているものが、上述のブライドル・リギング（bridle rigging、前記ブライドル２１、ブライドル索具）を完成させるために使用される。好ましくは、複数本のブライドル・ライン１５は、フォイル・ライン１４のうち、スタック１６の各端部１６ａ，１６ｃから外向きに延び出す各自由端部と、フォイル・セグメント１１同士の間の部分とにそれぞれ装着されることにより、複数のフォイル・セグメント１１に装着される。任意選択的に、フォイル・ライン１４の複数の自由端部は、複数本のブライドル・ライン１５と連続してもよい。これに代えて、複数本のブライドル・ライン１５は、複数のフォイル・セグメント１１のうちの１または複数に直接装着されてもよい。
【００３５】
図９に示すように、複数本のブライドル・ライン１５の長さは、前記セグメンテッド・フォイル（segmented-foil、分割型フォイル）が水の中を通過するように牽引されている状態で、複数のフォイル・セグメント１１が、垂直に延びるとともに直線的にすなわち長さ方向に配列されたスタック(stack、積層体）１６の姿勢を維持するように選択される。この具体例においては、ブライドル２１の複数の側辺が互いに等しい長さを有する。これに代えて、複数本のブライドル・ライン１５のうち、スタック１６の上半分における相対的な長さが、同じスタック１６の下半分における相対的な長さより長くなり、それにより、図１０において角度θで示すように、傾斜したスタック１６の姿勢を維持するように選択されてもよい。この具体例においては、ブライドル２１の複数の側辺が互いに異なる長さを有する。図１０に示すように、スタック１６が垂直線からオフセットする正または負の角度θは、垂直方向成分を有する力を生成するように選択されてもよい。このことにより、前記セグメンテッド・フォイル（segmented-foil、分割型フォイル）が、曳航船によって牽引される装備の横方向位置を曳航船に対して一側または他側にずらすように決めるダイバータ（diverter、方向変換器）として用いることも、曳航船によって牽引される装備を目標深度に位置させるディプレッサ(depressor、沈降器）としても用いることが可能となる。これに代えて、複数のブライドル・ライン１５の長さは、図８および図１１に示すように、曲線状を成すスタック１６の姿勢を維持するために選択されてもよい。このように、ブライドル・ライン長は、前記セグメンテッド・フォイル（segmented-foil、分割型フォイル）に目標スタック形状を与えるように選択される。
【００３６】
複数のフォイル・セグメント１１の前側内部導管１２および後側内部導管１８内を挿通されるフォイル・ライン１４および１７は、フォイル・セグメント１１が水の中を通過するように牽引される状態で、図５および図８に示すように、曲線状プロファイル（curved profile、曲線状の全体形状）を取ることになる。フォイル・ライン１４および１７のうちのいずれについても、その長さを選択的に(selectively、必要に応じて、状況に応じて）変化させ、それにより、複数のフォイル・セグメント１１の迎え角を制御し、それにより、揚力を増加させたり減少させたりしてもよい。
【００３７】
好ましくは、図７ｂに示すように、複数のフォイル・セグメント１１の両側の側面が、後向きに進むにつれて先細りとなり、それにより、そのスパン（span、各フォイル・セグメント１１の横幅寸法）が前縁１３から後縁１９に向かって減少し、それにより、各フォイル・セグメント１１に、台形状の形状と、複数のフォイル・セグメント１１間におけるくさび形のギャップ(gap、隙間）、すなわち、末拡がり角φとを提供する。好ましくは、複数のフォイル・セグメント１１であって前記台形状の形状を有するものが、複数本のブライドル・ライン１５であって、図１１に示すように、曲線状プロファイルを維持するように構成されたものと組み合わせて使用される。この構成においては、図７ｂに示すように、スタック１６の複数の後側内部導管１８内を貫通する別のフォイル・ライン１７の長さを選択的に(selectively、必要に応じて、状況に応じて）短縮し、それにより、複数のフォイル・セグメント１１の複数の後端(rear edges、後縁）を互いに引き寄せて密着させ、それにより、末拡がり角φを閉塞する(close、狭める）ようにしてもよい。図８に示すように、複数のフォイル・セグメント１の複数の後端(rear edges、後縁）が互いに引き寄せられて密着させられるにつれて、各フォイル・セグメント１１が、フォイル・ライン１４を中心にして回転し(rotate、各フォイル・セグメント１１が、フォイル・ライン１４のうち各フォイル・セグメント１１内に存在する部分を中心として面内回転し）、その回転により、各フォイル・セグメント１１が水の中を通過するように牽引される際の各フォイル・セグメント１１の迎え角(angle of attack、翼弦線が水の流れFLOWと成す角）を変化させる。このことが起こる理由は、複数のフォイル・セグメント１１の複数の前縁１３の合計長さが複数の後縁１９の合計長さより長いということである。
【００３８】
図１２に示すように、アジャスタ機構(adjuster mechanism、調整機構）を、別のフォイル・ライン１７に連結し、それにより、作動的に（operationally、当該アジャスタ機構の作動により）および選択的に(selectively、必要に応じて、状況に応じて）別のフォイル・ライン１７を短縮または延長し、それにより、前述のセグメンテッド・フォイル（segmented-foil、分割型フォイル）における複数のフォイル・セグメント１１の迎え角を調整してもよい。このアジャスタ機構は、ターンバックル２２とプーリ２３とを有してもよく、それらターンバックル２２およびプーリ２３は、フォイル・ライン１７のうち、複数のフォイル・セグメント１１とポッド（pod、格納部）２４との間の部分に設置され、そのポッド２４は、このアジャスタ機構の通信部（the communication）および電子部品を収容する(house、格納する）。これに代えて、ラチェット・ウィンチ（ratchet winch）を使用してもよい。フォイル・ライン１７の自動調整のために電気ソレノイドを使用してもよい。これに代えて、油圧または空圧によって制御されるラム（ram）およびピストン、電動ウィンチ（electric winch）、またはモータによって駆動されるラック・アンド・ピニオンを使用してもよい。
【００３９】
迎え角(angle of attack、翼弦線が水の流れFLOWと成す角）を調整すると、各フォイル・セグメント１１からの力が増加したり減少する。前記末拡がり角φが完全に閉塞されると、前記力が最大となる。したがって、このセグメンテッド・フォイルにより生成される力の全体は、このセグメンテッド・フォイルが水の中を通過するように牽引される際に、このアジャスタ機構により選択的に(selectively、必要に応じて、状況に応じて）制御される。これ(This、アジャスタ機構、前記力、別のフォイル・ライン１７の長さなど）は、自動的に、または、曳航船上の操業者により手動で、牽引される装備を遠隔的に制御する既知の方法により制御してもよい。これに代えて、別のフォイル・ライン１７の長さを配備(deployment、操業中にではなく、このトロール網の配備など）の際に設定してもよい。
【００４０】
図５に示すいくつかの具体例は複数のサイド・ライン８に関連付けて記載されるが、フォイル・ライン１４が挿通された複数のフォイル・セグメント１１、すなわち、セグメンテッド・フォイル（segmented-foil、分割型フォイル）を、ヘッド・ライン４またはフット・ライン６にも装着し、それにより、上向きまたは下向きの揚力を発生させてもよい。いくつかの実施態様においては、その結果、このトロール網に、垂直方向(vertical direction、上下方向）における操舵性（steerability、舵効き）が提供される。さらに、図４に示す実施態様は、２本のヘッド・ライン４、２本のフット・ライン６および２組のサイド・ライン８であって、各フォイル・セグメント１１の前側内部導管１２および後側内部導管１８内を貫通するものを有してもよい。その結果、２本のヘッド・ライン４のそれぞれの相対的な長さ(relative lengths）、２本のフット・ライン６のそれぞれの相対的な長さ(relative lengths）、または２組のサイド・ライン８のうちのいずれかのそれぞれの相対的な長さ(relative lengths、いずれかの１組のサイド・ライン８に属する２本のサイド・ライン）のそれぞれの相対的な長さを調整することにより、上述の操舵性（steerability、舵効き）がこのトロール網に提供される。好ましくは、互いに独立したアジャスタ機構が、２本のヘッド・ライン４と、２本のフット・ライン６と、２組のサイド・ライン８のそれぞれとに、それぞれ、それらを作動させるために関連付けて使用される。例えば、４つのこのようなアジャスタ機構は、複数本のヘッド・ライン４、複数本のフット・ライン６または複数のサイド・ライン８の延長または短縮により、このトロール網の垂直方向および水平方向における操舵性（steerability、舵効き）を可能とする。
【００４１】
従来のトロール網の構成においては、１インチの直径を有する２本の鋼製ケーブルが複数本のワープ・ライン(warp lines、左右両側のワープ・ライン）２０として使用され、それらワープ・ライン２０は、曳航船のデッキ上の左舷リールおよび右舷リールから配備されるとともに、左舷トロール・ドア７および右舷トロール・ドア７に連結される。このトロール網は、図１ｂに示すように、２本のワープ・ライン２０により牽引される従来のトロール網の構成ではなく、図６に示すように、曳航船に連結される１本のワープ・ライン２０により牽引されてもよい。その１本のワープ・ライン２０は、そのワープ・ライン２０の一端部であってこのトロール網に連結されるものの近傍位置において２本の２次的（secondary、副次的）ワープ・ライン２０ａおよび２０ａに分割される。各２次的ワープ・ライン２０ａは、網口２のそれぞれの側（sides、両側の側辺）において、セグメンテッド・フォイル（segmented-foil、分割型フォイル）に装着される。これに代えて、２本の２次的ワープ・ライン２０ａは、複数のサイド・ライン８に直接装着されてもよいし、または、網体１の網口２の周りにある前記リギング(rigging、索具、ブライドル・ライン）上の別の位置（another point、サイド・ライン８上の位置とは別の位置）に装着されてもよい。２本のワープ・ライン２０ではなく１本のワープ・ライン２０を使用すると、抵抗力（drag、抗力、流れFLOWに対して平行である成分）が減少し、それにより、網体１の網口２を拡大するのに必要な力が減少するとともに、後部デッキを操作する装備であってトロール網を配備したり回収したりするのに必要なものが２本のワープ・ライン２０を用いる場合より縮小する。
【００４２】
いくつかの実施態様は操舵性（steerability、舵効き）を含むが、それら実施態様においては、遠隔操作がアジャスタ機構(adjuster mechanism、調整機構）を介して提供されてもよく、そのアジャスタ機構は、曳航船上の船上設備と通信して、複数本のフォイル・ライン１４および１７または複数本の他のラインであって複数のフォイル・セグメント１１の複数本の前側内部導管１２および後側内部導管１８内を貫通するもののそれぞれの相対的なライン長さを制御する。それら曳航船とアジャスタ機構との間の通信は、商業漁業界の一般的な運用において既に知られている方法、例えば、音響モデムを用いるＵＳＢＬ方式（Ultra-Short Base Line）通信によって提供されてもよい。
【００４３】
後述の特許請求の範囲は、この書類に記載されている好ましいいくつかの実施態様により限定されるべきではなく、この明細書と全体的に合致するように最も広く解釈すべきである。
【図１ａ】
2018524968.tif 000003
【図１ｂ】
2018524968.tif 000004
【図２】
2018524968.tif 000005
【図３ａ】
2018524968.tif 000006
【図３ｂ】
2018524968.tif 000007
【図４】
2018524968.tif 000008
【図５】
2018524968.tif 000009
【図６】
2018524968.tif 000010
【図７ａ】
2018524968.tif 000011
【図７ｂ】
2018524968.tif 000012
【図８】
2018524968.tif 000013
【図９】
2018524968.tif 000014
【図１０】
2018524968.tif 000015
【図１１】
2018524968.tif 000016
【図１２】
2018524968.tif 000017
【国際調査報告】
2018524968.tif 000018
2018524968.tif 000019